(57)【要約】【課題】ウォークインタイプショーケースの陳列室内等に満遍なく冷気を分配することができる冷却ユニットを比較的安価に提供する。【解決手段】冷却ユニット１は、本体１１内に冷却器１７と送風機１８を備え、この送風機により吸込口１９から吸い込んだ空気を冷却器に送給し、当該冷却器と熱交換した後の冷気を吹出口２１から吹き出す天吊り型のものである。吹出口に取り付けられた風制御板３１を備え、この風制御板には、冷気の吹出方向に向けて傾斜した複数の風向板部３３が切り起こし形成され、各風向板部を切り起こした部分にスリット３４が形成されている。【選択図】図３
2018084391.tif 000002
【特許請求の範囲】
【請求項１】
本体内に冷却器と送風機を備え、該送風機により吸込口から吸い込んだ空気を前記冷却器に送給し、当該冷却器と熱交換した後の冷気を吹出口から吹き出す天吊り型の冷却ユニットにおいて、
前記吹出口に取り付けられた風制御板を備え、該風制御板には、冷気の吹出方向に向けて傾斜した複数の風向板部が切り起こし形成され、各風向板部を切り起こした部分にそれぞれスリットが形成されていることを特徴とする冷却ユニット。
【請求項２】
前記冷却器の下側に配置されたドレンパンを備え、
前記各風向板部は前記風制御板から前記冷却器側に切り起こされ、前記ドレンパンの上方に位置することを特徴とする請求項１に記載の冷却ユニット。
【請求項３】
前記ドレンパンは、傾斜方向を変更可能に設けられると共に、
前記風制御板は、その上部が前記本体に固定され、下部は固定されること無く前記ドレンパンより内側に位置することを特徴とする請求項２に記載の冷却ユニット。
【請求項４】
前記風制御板は、前記吹出口の一部に取り付けられることを特徴とする請求項１乃至請求項３のうちの何れかに記載の冷却ユニット。
【請求項５】
前記風制御板は、前記吹出口の中央部には取り付けられず、該中央部の両外側にそれぞれ取り付けられており、前記各風向板部は前記吹出口の中央部から離間する方向に向けて冷気を吹き出すように傾斜していることを特徴とする請求項４に記載の冷却ユニット。
【請求項６】
前記各風向板部は、前記吹出口の中央部から離間するもの程、より外側に指向するよう傾斜角度が変更されていることを特徴とする請求項５に記載の冷却ユニット。
【請求項７】
陳列室の前面を開閉自在に閉塞する複数枚のガラス扉を備え、
前記冷却ユニットは、前記吹出口が前記陳列室の前面に指向するかたちで当該陳列室の天井部に取り付けられており、前記吹出口から吹き出された冷気を、前記各風向板部により、前記各ガラス扉の方向に分配することを特徴とする請求項１乃至請求項６のうちの何れかに記載の冷却ユニットを備えたウォークインタイプショーケース。
【発明の詳細な説明】
【技術分野】
【０００１】
本発明は、所謂天吊り型の冷却ユニット、及び、それを備えたウォークインタイプショーケースに関するものである。
【背景技術】
【０００２】
従来よりコンビニエンスストアやスーパーマーケット等の店舗に設置されるウォークインタイプのショーケースでは、陳列室の天井部に冷却ユニットが取り付けられ、前面には複数枚のガラス扉が開閉自在に取り付けられている。また、冷却ユニット内には冷却器と送風機が収容され、送風機により吸込口から吸い込んだ空気を冷却器に送給し、この冷却器と熱交換した後の冷気を吹出口から吹き出すことで、陳列室内を所定の温度に冷却するように構成されていた。
【０００３】
ここで、特に比較的大型のウォークインタイプショーケースでは、複数台の冷却ユニットを天井部に取り付けていたが、近年では小型化や部品点数の低減による生産コストの削減のため、複数台の冷却ユニットの能力を有する単一の冷却ユニットを天井部に取り付ける要望が高まっている。
【０００４】
しかしながら、冷却ユニットが単一となることで、陳列室内に満遍なく冷気が行き渡らなくなる問題が発生する。特に、前面のガラス扉付近は温度が上がり易くなるので、冷却ユニットから遠くなる左右端部のガラス扉付近でこの問題は顕著となる。そこで、吹出口に風向板（風向ガイド部材）を取り付け、この風向板によって冷蔵倉庫内に冷気を分配するものも提案されている（例えば、特許文献１参照）。
【先行技術文献】
【特許文献】
【０００５】
【特許文献１】特開２０１５−１４５７５６号公報
【発明の概要】
【発明が解決しようとする課題】
【０００６】
しかしながら、前記特許文献では比較的複雑な形状に成形された風向板（風向ガイド部材）を用いて冷気の向きを変えているため、コストが高騰する。また、風向板自体に結露が生じた場合には、この結露水が庫内に滴下して収納された商品が劣化してしまうと云う問題もあった。
【０００７】
本発明は、係る従来の技術的課題を解決するために成されたものであり、ウォークインタイプショーケースの陳列室内等に満遍なく冷気を分配することができる冷却ユニット、及び、それを備えたウォークインタイプショーケースを比較的安価に提供することを目的とする。
【課題を解決するための手段】
【０００８】
本発明の冷却ユニットは、本体内に冷却器と送風機を備え、この送風機により吸込口から吸い込んだ空気を冷却器に送給し、当該冷却器と熱交換した後の冷気を吹出口から吹き出す天吊り型のものであって、吹出口に取り付けられた風制御板を備え、この風制御板には、冷気の吹出方向に向けて傾斜した複数の風向板部が切り起こし形成され、各風向板部を切り起こした部分にそれぞれスリットが形成されていることを特徴とする。
【０００９】
請求項２の発明の冷却ユニットは、上記発明において冷却器の下側に配置されたドレンパンを備え、各風向板部は風制御板から冷却器側に切り起こされ、ドレンパンの上方に位置することを特徴とする。
【００１０】
請求項３の発明の冷却ユニットは、上記発明においてドレンパンは、傾斜方向を変更可能に設けられると共に、風制御板は、その上部が本体に固定され、下部は固定されること無くドレンパンより内側に位置することを特徴とする。
【００１１】
請求項４の発明の冷却ユニットは、上記各発明において風制御板は、吹出口の一部に取り付けられることを特徴とする。
【００１２】
請求項５の発明の冷却ユニットは、上記発明において風制御板は、吹出口の中央部には取り付けられず、この中央部の両外側にそれぞれ取り付けられており、各風向板部は吹出口の中央部から離間する方向に向けて冷気を吹き出すように傾斜していることを特徴とする。
【００１３】
請求項６の発明の冷却ユニットは、上記発明において各風向板部は、吹出口の中央部から離間するもの程、より外側に指向するよう傾斜角度が変更されていることを特徴とする。
【００１４】
請求項７の発明のウォークインタイプショーケースは、陳列室の前面を開閉自在に閉塞する複数枚のガラス扉を備え、請求項１乃至請求項６に記載の冷却ユニットは、吹出口が陳列室の前面に指向するかたちで当該陳列室の天井部に取り付けられており、吹出口から吹き出された冷気を、各風向板部により、各ガラス扉の方向に分配することを特徴とする。
【発明の効果】
【００１５】
本発明によれば、本体内に冷却器と送風機を備え、この送風機により吸込口から吸い込んだ空気を冷却器に送給し、当該冷却器と熱交換した後の冷気を吹出口から吹き出す天吊り型の冷却ユニットにおいて、吹出口に取り付けられた風制御板を備え、この風制御板には、冷気の吹出方向に向けて傾斜した複数の風向板部が切り起こし形成され、各風向板部を切り起こした部分にそれぞれスリットが形成されているので、冷却器と熱交換した冷気を各風向板部により、所望の方向に向けて吹き出すことができるようになる。
【００１６】
これにより、単一の冷却ユニットを用いてコストの削減や送風機の騒音を低減しながら、例えば請求項７の発明の如き陳列室の前面に複数枚のガラス扉を備えた比較的大型のウォークインタイプショーケースの天井部に取り付けた場合にも、各ガラス扉の方向に冷気を円滑に分配し、端部に位置するガラス扉内側の陳列室内にも冷気を満遍なく供給して、陳列室の全体を斑無く冷却することができるようになる。また、複数の風向板部を切り起こし形成した風制御板を吹出口に取り付けるという簡単な構造であるので、比較的安価に生産することができるものである。
【００１７】
また、請求項２の発明によれば、上記発明に加えて各風向板部を風制御板から冷却器側に切り起こすようにしたので、運搬や据え付け時に風向板部が変形してしまうことや、設置作業者が怪我を負う不都合も回避することができるようになる。特に、冷却器の下側に配置されたドレンパンの上方に各風向板部が位置するようにしたので、風向板部に結露が付着した場合にも、陳列室内に滴下させること無くドレンパンにて受け止め、廃棄することができるようになる。
【００１８】
また、請求項３の発明の如くドレンパンが、その傾斜方向を変更可能に設けられる場合にも、風制御板の上部を本体に固定し、下部は固定すること無くドレンパンより内側に位置するようにしたので、風制御板がドレンパンの傾斜方向の選択に干渉することも無くなると共に、風制御板自体に生じた結露も、陳列室内に滴下させること無くドレンパンにて受け止め、廃棄することができるようになる。
【００１９】
また、請求項４の発明の如く風制御板を、吹出口の一部に取り付けるようにすれば、例えば請求項５の発明の如く風制御板を、吹出口の中央部には取り付けず、この中央部の両外側にそれぞれ取り付け、各風向板部を、吹出口の中央部から離間する方向に向けて冷気を吹き出すように傾斜させることで、吹出口の正面には中央部の風制御板が取り付けられていない部分からそのまま冷気を吹き出し、吹出口の正面から外れる方向には中央部の両外側に取り付けた風制御板の風向板部にて吹出方向を変更し、冷気を吹き出すことができるようになり、請求項７の発明の如きウォークインタイプショーケースの陳列室の全体に、簡単な構造にて満遍なく冷気を分配することができるようになる。
【００２０】
更に、請求項６の発明の如く各風向板部の傾斜角度を、吹出口の中央部から離間するもの程、より外側に指向するように変更することで、より幅広く冷気を分配することが可能となり、ガラス扉の枚数が多い大型のウォークインタイプショーケース等に極めて好適なものとなる。
【図面の簡単な説明】
【００２１】
【図１】本発明の冷却ユニットを備えた一実施例のウォークインタイプショーケースの透視平面図である。
【図２】図１のウォークインタイプショーケースの縦断面図である。
【図３】本発明の実施例の冷却ユニットの縦断面図である。
【図４】図３の冷却ユニットの正面図である。
【図５】図４の冷却ユニットの吹出口部分の拡大縦断面図である。
【図６】図５の冷却ユニットの風制御板の拡大平断面図である。
【図７】図３の冷却ユニットのもう一つの正面図である。
【図８】図７の冷却ユニットの吹出口部分の拡大縦断面図である。
【図９】本発明の冷却ユニットの風制御板の他の実施例の拡大平断面図である。
【発明を実施するための形態】
【００２２】
以下、本発明の実施の形態について、図面に基づき詳細に説明する。
【実施例１】
【００２３】
図１は本発明の冷却ユニット１を備えたウォークインタイプショーケース２の透視平面図、図２はウォークインタイプショーケース２の断面図、図３は冷却ユニット１の断面図をそれぞれ示している。実施例のウォークインタイプショーケース２は、例えばコンビニエンスストア等の店舗に設置される比較的大型のショーケースであり、プレハブパネル３にて組み立てられた断熱箱体４から構成されている。この断熱箱体４内には、前面が開口する陳列室６が構成され、この陳列室６内に商品が陳列される。
【００２４】
陳列室６の前面開口は店舗内に面しており、この前面開口は複数枚（実施例では７枚）のガラス扉７にて開閉自在に閉塞されている。各ガラス扉７は断熱箱体４にそれぞれ回動自在に枢支されており、断熱箱体４の側面には商品を補充するために従業員が出入りする断熱扉８が開閉自在に取り付けられている。また、陳列室６の奥部には棚や照明（９で代表して示す）も取り付けられる。
【００２５】
そして、係るウォークインタイプショーケース２の陳列室６の天井部（断熱箱体４の天井４Ａ下面）に本発明の天吊り型の冷却ユニット１が取り付けられている（図２）。冷却ユニット１は単一の構成であり、図１に示す如く陳列室６の左右方向における中央部に位置して取り付けられている。
【００２６】
冷却ユニット１の本体１１は、上板１２と、左右側板１３と、グリル板１４等から構成されており、この本体１１は固定金具１６により断熱箱体４の天井４Ａに固定されている。本体１１内の前部には横長の冷却器１７が収納され、この冷却器１７の後側に複数台（実施例では４台）の送風機１８が収納されており、各送風機１８はグリル板１４の複数の吸込口１９にそれぞれ対応している。また、本体１１の前面であって冷却器１７の前側には吹出口２１が構成されており、冷却器１７の下側にはドレンパン２２が設けられている。そして、吹出口２１が前方のガラス扉７の方向に指向するように取り付けられている。
【００２７】
冷却器１７は左右のエンドプレート２３に保持された蛇行状の冷媒配管２４と、この冷媒配管２４が貫通する複数枚の熱交換フィン２６から構成されており、店舗外に設置された図示しない冷凍機から冷媒が供給されて冷却作用を発揮する。そして、エンドプレート２３が固定金具１６に取り付けられ冷却器１７は本体１１内に保持されている。
【００２８】
ドレンパン２２は本体１１の左右全幅、及び、冷却器１７の前後寸法の全てを覆う大きさを有しており、前部の左右に排水口２７がそれぞれ形成され、上面はこの排水口２７に向けて低く傾斜した形状を呈している。尚、３０は排水口２７に取り付けられたドレンホースである。このドレンパン２２は、冷却器１７のエンドプレート２３にネジ２８にて取り付けられるが、このネジ止め位置を変更することで、店舗側の要望（店舗のレイアウト）により、向かって右側に低く傾斜させるか、左側に低く傾斜させるかを変更可能とされている。図４、図５は向かって右側に低く傾斜して取り付けた状態を示し、図７、図８は向かって左側に低く傾斜して取り付けた状態を示している。
【００２９】
そして、係る冷却ユニット１の前面の吹出口２１に本発明の特徴である風制御板３１が取り付けられている。この実施例では風制御板３１は二枚準備され、吹出口２１の一部である向かって左右の部分にそれぞれ取り付けられている。即ち、吹出口２１の中央部には風制御板３１は取り付けられておらず、中央部の両外側にそれぞれ取り付けられている。
【００３０】
各風制御板３１は、その上部がネジ３２にて上板１２に固定されているが、その下部は固定されておらず、ドレンパン２２より内側に位置してドレンパン２２に当接している（図５、図８）。また、各風制御板３１には上下方向に長い風向板部３３が複数切り起こし形成されており、切り起こした部分の風制御板３１にそれぞれスリット３４が形成されている。各風向板部３３は冷却器１７側に切り起こされており、この風向板部３３を含む風制御板３１の全体がドレンパン２２の上方に位置している。
【００３１】
ここで、向かって左側の風制御板３１の風向板部３３は図６に示す如く吹出口２１の中央部から離間する方向（吹出口２１から見て右前方向）に指向するかたちでそれぞれ傾斜している。また、向かって右側の風制御板３１の風向板部３３はそれとは逆に吹出口２１の中央部から離間する方向である吹出口２１から見て左前方向に指向するかたちでそれぞれ傾斜している。
【００３２】
尚、向かって左側の風制御板３１と右側の風制御板３１は、それぞれの取り付け位置を間違えないように、ネジ３２の止め位置（取り付け孔の位置）がそれぞれ異なるように配慮されており、これにより、各風向板部３３の指向方向を間違えて取り付けられないようにしている。
【００３３】
また、前述した如くドレンパン２２は据え付け時に傾斜方向が変更されるが、風制御板３１の下部は固定されること無くドレンパン２２より内側に位置しているので、ドレンパン２２の傾斜方向の選択に干渉することが無い。図５、図８はそれぞれ向かって左側の部分の冷却ユニット１の縦断面を示している。図５ではドレンパン２２が向かって右側に低く傾斜して取り付けられているので、風制御板３１の下部はドレンパン２２内に深く進入して当接している。一方、図８ではドレンパン２２が向かって左側に低く傾斜して取り付けられているので、風制御板３１の下部はドレンパン２２内に浅く進入することになる。
【００３４】
以上の構成で、冷却ユニット１が運転されて冷却器１７に冷媒が供給されると、冷却器１７内では冷媒（例えば二酸化炭素冷媒）が蒸発して冷却作用を発揮する。そして、送風機１８が運転されると吸込口１９から陳列室６内の空気が吸引され、冷却器１７に送給される。冷却器１７に流入した空気はそれと熱交換することで冷却され、冷気となって吹出口２１から前方に吹き出される。
【００３５】
この場合、冷却ユニット１の吹出口２１の中央部には風制御板３１は取り付けられていないので、冷気はそのまま前方に吹き出される（図１に破線矢印で示す）。一方、この中央部の左右外側には風制御板３１が取り付けられているので、中央部より向かって左側の冷気は風向板部３３が指向する方向である吹出口２１から見て右前方に向かってスリット３４から吹き出される。他方、中央部より向かって右側の冷気は、向かって右側の風制御板３１の風向板部３３が指向する方向である吹出口２１から見て左前方に向かってスリット３４から吹き出される（それぞれ図１に実線矢印で示す）。
【００３６】
冷却ユニット１の吹出口２１の中央部から吹き出された冷気は、冷却ユニット１の前方に位置するガラス扉７の内側の陳列室６内に向かう。一方、中央部より向かって左側の風制御板３１のスリット３４から吹き出された冷気は、ウォークインタイプショーケース２に向かって左端のガラス扉７の内側の陳列室６内に向かい、中央部より向かって右側の風制御板３１のスリット３４から吹き出された冷気は、ウォークインタイプショーケース２に向かって右端のガラス扉７の内側の陳列室６内に向かうことになる。そして、陳列室６内を循環して商品を冷却した後、図２に矢印で示す如く再び送風機１８に吸い込まれることになる。
【００３７】
以上詳述した如く、本発明では天吊り型の冷却ユニット１の吹出口２１に風制御板３１を取り付け、この風制御板３１には冷気の吹出方向に向けて傾斜した複数の風向板部３３を切り起こし形成し、各風向板部３３を切り起こした部分にそれぞれスリット３４を形成したので、冷却器１７と熱交換した冷気を各風向板部３３により、所望の方向に向けて吹き出すことができるようになる。
【００３８】
これにより、単一の冷却ユニット１を用いてコストの削減や送風機１８の騒音を低減しながら、実施例の如く陳列室６の前面に複数枚のガラス扉７を備えた比較的大型のウォークインタイプショーケース２の天井部に取り付けた場合にも、各ガラス扉７の方向に冷気を円滑に分配し、左右の端部に位置するガラス扉７の内側の陳列室６内にも冷気を満遍なく供給して、陳列室６の全体を斑無く冷却することができるようになる。また、複数の風向板部３３を切り起こし形成した風制御板３１を吹出口２１に取り付けるという簡単な構造であるので、比較的安価に生産することができる。
【００３９】
また、各風向板部３３を風制御板３１から冷却器１７側に切り起こすようにしているので、前方に切り起こす場合に比して運搬や据え付け時に風向板部３３が変形してしまうことや、設置作業者が怪我を負う不都合も回避することができるようになる。特に、冷却器１７の下側に配置されたドレンパン２２の上方に各風向板部３３が位置するようにしたので、風向板部３３に結露が付着した場合にも、陳列室６内に滴下させること無くドレンパン２２にて受け止め、排水口２７から廃棄することができるようになり、結露水によって陳列室６内の商品が劣化する不都合も解消される。
【００４０】
また、実施例ではドレンパン２２が、その傾斜方向を変更可能に設けられるが、風制御板３１の上部を本体１１の上板１２に固定し、下部は固定すること無くドレンパン２２より内側に位置するようにしているので、風制御板３１がドレンパン２２の傾斜方向の選択に干渉することも無くなると共に、風制御板３１自体に生じた結露も、陳列室６内に滴下させること無くドレンパン２２にて受け止め、排水口２７から廃棄することができるようになる。
【００４１】
また、風制御板３１は吹出口２１の一部に取り付けられるようにしているので、例えば実施例の如く風制御板３１を、吹出口２１の中央部には取り付けず、この中央部の左右両外側にそれぞれ取り付け、各風向板部３３を、吹出口２１の中央部から離間する方向に向けて冷気を吹き出すように傾斜させることで、吹出口２１の正面には中央部の風制御板３１が取り付けられていない部分からそのまま冷気を吹き出し、吹出口２１の正面から外れる方向には中央部の左右両外側に取り付けた風制御板３１の風向板部３３にて吹出方向を変更し、冷気を吹き出すことができるようになり、実施例の如きウォークインタイプショーケース２の陳列室６の全体に、簡単な構造にて満遍なく冷気を分配することができるようになる。
【実施例２】
【００４２】
次に、図９は他の実施例の風制御板３１の縦断面図を示している。この実施例では冷却ユニット１の吹出口２１の中央部から離間するもの程、より外側に指向するように風向板部３３の傾斜角度が変更されている（図９）。図６の実施例では各風向板部３３の傾斜角度は一定とし、冷気の吹出方向も平行となるようにしたが（図６中に矢印で示す）、このように風向板部３３の傾斜角度を変更することで、より幅広く冷気を分配することが可能となり(図９中に矢印で示す）、ガラス扉７の枚数が更に多い大型のウォークインタイプショーケース２等に極めて好適なものとなる。
【００４３】
尚、実施例では冷却ユニット１をウォークインタイプショーケース２に取り付けたが、請求項１から請求項６の発明ではそれに限らず、プレハブ冷蔵庫やプレハブ冷凍庫に取り付けても有効である。
【００４４】
また、実施例では陳列室６の左右方向における中央部に位置して冷却ユニット１を取り付け、吹出口２１の中央部を除く左右に風制御板３１をそれぞれ取り付けたが、請求項５以外の発明ではそれに限らず、例えば、陳列室６に向かって左側の天井部に冷却ユニット１が取り付けられる場合には、冷却ユニット１の吹出口２１の向かって左側の部分には風制御板３１を取り付けず、吹出口２１の向かって右側の部分のみに取り付け、当該風制御板３１の各風向板部３３により、吹出口２１から見て左前方向（陳列室６に向かって右側端のガラス扉７の方向）に冷気を吹き出すようにしても有効である。
【符号の説明】
【００４５】
１  冷却ユニット
２  ウォークインタイプショーケース
６  陳列室
７  ガラス扉
１１  本体
１２  上板
１６  固定金具
１７  冷却器
１９  吸込口
２１  吹出口
２２  ドレンパン
２３  エンドプレート
２８、３２  ネジ
３１  風制御板
３３  風向板部
３４  スリット
【図１】
2018084391.tif 000003
【図２】
2018084391.tif 000004
【図３】
2018084391.tif 000005
【図４】
2018084391.tif 000006
【図５】
2018084391.tif 000007
【図６】
2018084391.tif 000008
【図７】
2018084391.tif 000009
【図８】
2018084391.tif 000010
【図９】
2018084391.tif 000011